(57)【要約】      （修正有）【課題】食品包装用容器の縁枠を持っても縁枠がへこまないようにし、容器を積み重ねて紐やフィルムで結束する際に、下端の容器の縁枠が内側にしなり変形するのを防止すること、容器に指をかけて持ち上げても内容器の底がへこまないようにするとともに蓋がみつからなかったり風で飛ばされたりしないようにすること、及び組立式の食品包装用容器に高級感を持たせること。【解決手段】内容器１と外枠２を備える食品包装用容器であって、内容器１の上縁にはＬ字状の外縁部３と上方に突出する突起４が形成され、外枠２は底板５と折り曲げ可能に接続されている第１側板６、第２側板７及び蓋板８を有している。内容器１と外枠２の組み立ては、第１側板６を内側に９０度折り曲げた状態で、内容器１の外縁部３を第１側板６の上端部に嵌合させた後、第２側板７を内側に９０度折り曲げ、さらに蓋板８を第２側板７に対して内側に９０度折り曲げれば良い。【選択図】図１
2018177280.tif 000002
【特許請求の範囲】
【請求項１】
内容器と、該内容器を収容する外枠と、前記内容器と前記外枠とを固定する固定手段を備える食品包装用容器であって、
前記外枠は、長方形の底板と、該底板の一辺に折り曲げ可能に接続される長方形の第１側板と、前記底板の一辺に対向する他辺に接続される長方形の第２側板と、前記第２側板の前記底板と接続されている辺に対向する対向辺に折り曲げ可能に接続される長方形の蓋板を有している
ことを特徴とする食品包装用容器。
【請求項２】
前記固定手段は、前記内容器の上縁に設けられ、前記内容器を前記外枠に収容する時、前記第１側板の上端に嵌合する嵌合手段である
ことを特徴とする請求項１に記載の食品包装用容器。
【請求項３】
前記内容器の上縁又は前記蓋板の内面に、前記内容器に前記蓋板を被せた時、前記蓋板を保持する保持手段が設けられている
ことを特徴とする請求項１又は２に記載の食品包装用容器。
【発明の詳細な説明】
【技術分野】
【０００１】
本発明は、主として、ごはん類、麺類、各種惣菜などの食品を収納するための食品包装用容器に関する。
【背景技術】
【０００２】
このような食品包装用容器として、内容器と枠材を組み合わせたものが広く用いられている。
本出願の発明者は、特許文献１（実用新案登録第３２００７７６号公報）に記載されているように、直方体状とした枠材(2)の上から内容器(1)を落とし込み、内容器(1)の外縁部(15)を枠材(2)の上端部(24)に当接させるとともに枠材(2)の溝条(25)に内容器(1)の突条(18)を嵌合させる組立式の食品包装用容器であって、内容器(1)の四隅の内側に突起(16)を設けるとともに蓋(3)の四隅の内側に突起(16)を収容可能な凹部(31)を設けて、蓋(3)をずれにくくしたものを提案した（特に、請求項２、段落００１０及び図１を参照）。
【０００３】
また、特許文献２（実公平３−１８３４２号公報）には、底板(11)の両側に一対の起立片(12)が形成されている外装ケース(1)と、その外装ケース(1)内に起立片(12)よりも高さの低いトレー(2)を挟装状態となるように収納してなる包装容器が開示されている（特に、請求項１、第２頁左欄第８〜２９行及び図面を参照）。
【０００４】
しかし、特許文献１記載の食品包装用容器は枠材(2)に底がないため、縁枠を持った時に縁枠がへこむことがあり、容器を積み重ねて紐やフィルムで結束する際に、下端の容器の縁枠が内側にしなり変形することがある。また、容器に指をかけて持ち上げた時に内容器(1)の底がへこむこともあり、蓋(3)を被せた時ずれにくくなってはいるものの、枠材(2)等とは別体となっているため、利用時に蓋(3)がみつからなかったり、外して置いてあった蓋(3)が風で飛ばされてしまったりすることがあった。
また、特許文献２記載の包装容器は外装ケース(1)に底はあるものの、トレー(2)に被せる蓋がないため、第２頁左欄第３４〜３８行に記載されるように、食品をトレー(2)内に収納した後に全体をラップ等で包装する必要があり、高級感を持たせることができなかった。
【先行技術文献】
【特許文献】
【０００５】
【特許文献１】実用新案登録第３２００７７６号公報
【特許文献２】実公平３−１８３４２号公報
【発明の概要】
【発明が解決しようとする課題】
【０００６】
本発明は、内容器と枠材を組み合わせる組立式の食品包装用容器において、容器の縁枠を持っても縁枠がへこまないようにし、容器を積み重ねて紐やフィルムで結束する際に、下端の容器の縁枠が内側にしなり変形するのを防止すること、及び容器に指をかけて持ち上げても内容器の底がへこまないようにするとともに、蓋がみつからなかったり風で飛ばされたりしないようにすることを第１の課題としてなされたものである。
また、本発明は、内容器と枠材を組み合わせる組立式の食品包装用容器に高級感を持たせることを第２の課題としてなされたものである。
【課題を解決するための手段】
【０００７】
請求項１に係る発明の食品包装用容器は、内容器と、該内容器を収容する外枠と、前記内容器と前記外枠とを固定する固定手段を備える食品包装用容器であって、
前記外枠は、長方形の底板と、該底板の一辺に折り曲げ可能に接続される長方形の第１側板と、前記底板の一辺に対向する他辺に接続される長方形の第２側板と、前記第２側板の前記底板と接続されている辺に対向する対向辺に折り曲げ可能に接続される長方形の蓋板を有していることを特徴とする。
【０００８】
請求項２に係る発明の食品包装用容器は、請求項１に記載の食品包装用容器において、前記固定手段は、前記内容器の上縁に設けられ、前記内容器を前記外枠に収容する時、前記第１側板の上端に嵌合する嵌合手段であることを特徴とする。
【０００９】
請求項３に係る発明の食品包装用容器は、請求項１又は２に記載の食品包装用容器において、前記内容器の上縁又は前記蓋板の内面に、前記内容器に前記蓋板を被せた時、前記蓋板を保持する保持手段が設けられていることを特徴とする。
【発明の効果】
【００１０】
請求項１に係る発明の食品包装用容器は、内容器と、内容器を収容する外枠と、内容器と外枠とを固定する固定手段を備え、
外枠は、長方形の底板と、底板の一辺に折り曲げ可能に接続される長方形の第１側板と、底板の一辺に対向する他辺に接続される長方形の第２側板と、第２側板の底板と接続されている辺に対向する対向辺に折り曲げ可能に接続される長方形の蓋板を有しているので、内容器を底板の上に第１側板と第２側板で囲まれた状態で固定でき、食品包装用容器に指をかけて持ち上げても内容器の底がへこむことがない。
また、蓋板が第２側板に折り曲げ可能に接続されているので、蓋板がみつからなかったり風で飛ばされたりすることがなく、蓋板を内容器に被せると内容器が底板、第１側板、第２側板及び蓋板で覆われる状態となるため、組立式の食品包装用容器に高級感を持たせることができる。
さらに、外枠の第１側板、第２側板及び蓋板を全て開いた状態とすれば平板状となるので、多数の外枠を積み重ねて容易に輸送することができる。
【００１１】
請求項２に係る発明によれば、請求項１に係る発明の食品包装用容器による効果に加えて、固定手段が第２側板の上端に嵌合する嵌合手段であるため、内容器と外枠の組み立てを容易に行うことができる。
【００１２】
請求項３に係る発明によれば、請求項１又は２に係る発明の食品包装用容器による効果に加えて、内容器の上縁又は蓋板の内面に、内容器に蓋板を被せた時、蓋板を保持する保持手段が設けられているので、内容器を外枠に固定し蓋板を被せるだけで蓋板を閉じた状態に保持することができる。
【図面の簡単な説明】
【００１３】
【図１】実施例１に係る食品包装用容器の斜視図。
【図２】実施例１の外枠２を展開した状態における平面図。
【図３】実施例１の外枠２を展開した状態における正面図。
【図４】実施例１に係る食品包装用容器の側面図。
【図５】実施例２の外枠２’を展開した状態における平面図。
【図６】従来技術に係る食品包装用容器の斜視図。
【図７】実施例２に係る食品包装用容器の側面図。
【図８】実施例３に係る外枠１２を展開した状態における平面図。
【発明を実施するための形態】
【００１４】
以下、実施例によって本発明の実施形態を説明する。
【実施例１】
【００１５】
図１は実施例１に係る食品包装用容器の斜視図である。
図１に示すとおり、実施例１に係る食品包装用容器は、薄いプラスチック製で一体成形により作製された内容器１と、発泡プラスチック製の外枠２を備えている。
そして、内容器１は、大小複数の食品収納用凹部を有し、その上縁には外方に広がり下方に折れ曲がっているＬ字状の外縁部３が形成されている。
また、上縁の四隅の内側には上方に突出する突起４が設けてある。
【００１６】
図２は外枠２を展開した状態における平面図であり、図３は外枠２を展開した状態における正面図である。
図２に示すとおり、外枠２は、長方形の底板５と、底板５の右側の辺に折り曲げ可能に接続されている長方形の第１側板６と、底板５の左側の辺に折り曲げ可能に接続されている長方形の第２側板７と、第２側板７の左側の辺に折り曲げ可能に接続されている蓋板８を有しており、蓋板８の内面には、内容器１の上に蓋板８を被せた時、突起４が嵌合するＬ字状の凹部９が設けられている。
そして、図３に示すとおり、底板５と第１側板６が折り曲げ可能に接続されている部分、底板５と第２側板７が折り曲げ可能に接続されている部分及び第２側板７と蓋板８が折り曲げ可能に接続されている部分は、いずれもＶ字溝１０となっており、接続されている板同士を内側に９０度折り曲げることができ、外側に１８０度折り曲げることができる。
また、第１側板６の右端付近には、右辺に平行な溝１１が設けてある。
外枠２は上記のような構造となっているので、長方形の発泡プラスチック製板材の蓋板８となる部分の四隅の内側にＬ字状の凹部９を穿ち、同板材の表面に所定間隔でＶ字溝１０を穿つとともに右端付近に溝１１を穿つだけで外枠２を製造することができる。
【００１７】
図４は実施例１に係る食品包装用容器の側面図である。
内容器１と外枠２を組み立てるに際しては、第１側板６を底板５に対して内側に９０度折り曲げた状態で、内容器１の外縁部３の１つを第１側板６の上端部に嵌合させると、内容器１の側壁の上部に設けてある突条（図示しないが、内容器１の上縁に平行に連続的又は断続的に設けてある。）が溝１１に嵌合して、内容器１と第１側板６が分離しにくい状態となる。
その後、第２側板７を底板５に対して内側に９０度折り曲げ、さらに蓋板８を第２側板７に対して内側に９０度折り曲げれば図４に示す状態となり、４つの凹部９が各々対応する突起４と嵌合するので蓋板８が閉じた状態に保持される。
【実施例２】
【００１８】
図５は実施例２に係る食品包装用容器の外枠２’を展開した状態における平面図である。
実施例２の外枠２’は、図５に示すとおり、第２側板７’の幅（組立後の高さ）が大きい点のみで実施例１と異なっている。
そのため、図５に示す図面番号は外枠２’及び第２側板７’を除き図１と全て同じとし、詳しい説明は省略する。
【００１９】
図６は直方体状とした枠材２０の上から、実施例１で用いた内容器１（食品収納用凹部の組合せは異なっていても良い）を落とし込んで組み立てた従来技術に係る食品包装用容器の斜視図であり、実施例２の外枠２’とともに利用する。
なお、枠材２０は、外枠２’と同じ発泡プラスチック製板材を環状に接続したものであり、４枚の板材の接続部をＶ字溝等として折り畳めるようになっている（詳細については、特許文献１の段落００１６及び図１等を参照）。
また、図７は実施例２に係る食品包装用容器の側面図である。
そして、図４と図７を比較すれば分かるように、第２側板７’の幅は、実施例１の第２側板７の幅と枠材２０の幅を足したものとなっている。
内容器１と従来技術に係る食品包装用容器と外枠２’を組み立てるに際しては、第１側板６を底板５に対して内側に９０度折り曲げた状態で、内容器１の外縁部３の１つを第１側板６の上端部に嵌合させた後、従来技術に係る食品包装用容器の枠材２０の下端面を内容器１の上縁（外縁部３の上面）に載せる。
そうすると、内容器１の突起４が枠材２０の下端部内面に接するので、内容器１の上に従来技術に係る食品包装用容器がずれることなく積み重ねられる。
その後、実施例１と同様に第２側板７’を底板５に対して内側に９０度折り曲げ、さらに蓋板８を第２側板７’に対して内側に９０度折り曲げれば図７に示す状態となり、４つの凹部９が上側にある内容器１の突起４と嵌合するので蓋板８が閉じた状態に保持される。
【実施例３】
【００２０】
図８は実施例３に係る食品包装用容器の外枠１２を展開した状態における平面図である。
実施例３の外枠１２は、図８に示すとおり、底板５の上側の辺に折り曲げ可能に接続されている長方形の第３側板１３と、底板５の下側の辺に折り曲げ可能に接続されている長方形の第４側板１４をさらに有している点のみで実施例１と異なっている。
そのため、図６に示すその他の図面番号は図２と全て同じとし詳しい説明は省略する。
なお、底板５と第３側板１３が折り曲げ可能に接続されている部分及び底板５と第４側板１４が折り曲げ可能に接続されている部分もＶ字溝１０となっており、実施例１と同様、接続されている板同士を内側に９０度折り曲げることができ、外側に１８０度折り曲げることができる。
また、第３側板１３及び第４側板１４の幅は第１側板６と同じであり、第３側板１３の上端付近及び第４側板１４の下端付近には、第１側板６と同様の溝１１が設けてある。
そして、内容器１と外枠１２を組み立てるに際しては、第１側板６、第３側板１３及び第４側板１４を底板５に対して内側に９０度折り曲げた状態で、内容器１の外縁部３の３つを第１側板６、第３側板１３及び第４側板１４の上端部に嵌合させると、内容器１の側壁の上部に設けてある突条（図示せず）が溝１１に嵌合して内容器１と第１側板６、第３側板１３及び第４側板１４が分離しにくい状態となる。
その後、実施例１と同様に第２側板７を底板５に対して内側に９０度折り曲げ、さらに蓋板８を第２側板７に対して内側に９０度折り曲げれば図７に示す状態となり、４つの凹部９が上側にある内容器１の突起４と嵌合するので蓋板８が閉じた状態に保持される。
【００２１】
実施例１〜３の変形例を列記する。
（１）実施例１及び２に係る食品包装用容器においては、内容器１の外縁部３の１つを第１側板６の上端部に嵌合させ、実施例３に係る食品包装用容器においては、内容器１の外縁部３の３つを第１側板６、第３側板１３及び第４側板１４の上端部に嵌合させて内容器１と外枠２、２’、１２を固定しているが、内容器１と外枠２、２’、１２を固定できれば、内容器１の上縁に設けた外縁部３のような嵌合手段に限らず、どのような固定手段を採用しても良い。
例えば、両面粘着テープ、面ファスナー、接着材、熱融着等が挙げられる。
（２）実施例１〜３に係る食品包装用容器においては、内容器１の側壁の上部に突条を設けるとともに、実施例１及び２では第１側板６に溝１１を設け、実施例３では第１側板６、第３側板１３及び第４側板１４に溝１１を設けて、内容器１と外枠２、２’、１２が分離しにくい状態となるようにしたが、内容器１の上縁に設けた外縁部３だけでも固定はされるので、突条や溝１１は設けなくても良い。
【００２２】
（３）実施例１〜３に係る食品包装用容器においては、内容器１の上縁の四隅に突起４が設けられ、蓋板８の内面に突起４が嵌合するＬ字状の凹部９が設けられていたが、蓋板８は第２側板７、７’に接続されており、ずれることはないので、突起４及び凹部９は設けなくても良い。
また、蓋板８を閉じた状態に保持する機能を持たせるだけであれば、１つの突起４及び凹部９を設けるだけでも良く、突起４と凹部９に限らず他の保持手段を採用しても良い。例えば、片面が接着力の弱い両面粘着テープ、面ファスナー、接着力の弱い粘着剤、内容器１の上縁に設けたフック状の係止部材等が挙げられる。
【００２３】
（４）実施例１〜３に係る食品包装用容器においては、外枠２、２’、１２は発泡プラスチック製の板材に凹部９、Ｖ字溝１０及び溝１１を穿って製造したが、発泡プラスチック製の板材に限らず、硬質プラスチック、木、紙又は金属等の板材を用いても良い。
例えば、樹脂シートの上に適宜の材質の板材を図２、図５又は図８のように配置し、接着剤等により固着する方法や、適宜の材質の板材を図２、図５又は図８のように配置し、隣り合う板材を粘着テープ等で接続する方法等が挙げられる。
（５）実施例３の枠材１２の第２側板７の幅を、実施例２の第２側板７’と同じ幅とした枠材１２’を作製すれば、実施例２と同様、内容器１の上に従来技術に係る食品包装用容器を積み重ねたものを枠材１２’で覆った食品包装用容器とすることができる。
【符号の説明】
【００２４】
１  内容器      ２、２’  外枠      ３  外縁部      ４  突起
５  底板      ６  第１側板      ７、７’  第２側板
８  蓋板      ９  凹部      １０  Ｖ字溝      １１  溝
１２  外枠      １３  第３側板      １４  第４側板      ２０  枠材
【図１】
2018177280.tif 000003
【図２】
2018177280.tif 000004
【図３】
2018177280.tif 000005
【図４】
2018177280.tif 000006
【図５】
2018177280.tif 000007
【図６】
2018177280.tif 000008
【図７】
2018177280.tif 000009
【図８】
2018177280.tif 000010